(57)【要約】    【課題】  回折光学素子の位置を有効光路外から調整できる位置調整手段を設けることにより、レンズの製造ばらつき（偏心）やガラスの特性ばらつき（アッベ数のばらつき）等による倍率色収差を光学的に補正し、また色ずれを低減し、さらには高品位な画像読取りを可能とする光学系と画像読取装置を得ること。    【解決手段】  １つの光軸上にレンズ、そして回折光学素子と、を備えた光学系において、該回折光学素子の位置を調整できる位置調整手段を有効光路外に設けていること。【選択図】    図１
2005107002.tif 000002
【特許請求の範囲】
【請求項１】
１つの光軸上にレンズ、そして回折光学素子と、を備えた光学系において、
該回折光学素子の位置を調整できる位置調整手段を有効光路外に設けていることを特徴とする光学系。
【請求項２】
前記位置調整手段は、前記回折光学素子の位置を光軸方向に対し前後に移動させて調整することを特徴とする請求項１に記載の光学系。
【請求項３】
前記位置調整手段は、前記回折光学素子の位置を光軸方向に対し傾けて調整することを特徴とする請求項１又は２に記載の光学系。
【請求項４】
前記光学系は絞りを有し、前記回折光学素子は、該絞り近傍に配置されていることを特徴とする請求項１、２又は３に記載の光学系。
【請求項５】
前記回折光学素子は、正の屈折力を有する回折格子と負の屈折力を有する回折格子とを互いに回折格子面を向き合わせて積層した積層型の回折光学素子であることを特徴とする請求項１乃至４の何れか１項に記載の光学系。
【請求項６】
前記正の屈折力を有する回折格子と負の屈折力を有する回折格子は、各々平行平板上に形成されていることを特徴とする請求項５に記載の光学系。
【請求項７】
前記光学系は、前記回折光学素子以外のレンズの組み込み終了後に該回折光学素子の位置が前記位置調整手段により調整され、固定されていることを特徴とする請求項１乃至６の何れか１項に記載の光学系。
【請求項８】
光源手段により照明された原稿面上の画像情報をレンズ、絞り及び回折光学素子とを有する結像手段により読取手段面上に結像させ、該読取手段で該画像情報を読取る画像読取装置において、
該回折光学素子の位置を調整できる位置調整手段を有効光路外に設けていることを特徴とする画像読取装置。
【請求項９】
前記位置調整手段は、主走査断面内において、前記回折光学素子の位置を光軸方向に対し前後に移動させて調整することを特徴とする請求項８に記載の画像読取装置。
【請求項１０】
前記位置調整手段は、主走査断面内において、前記回折光学素子の位置を光軸方向に対し傾けて調整することを特徴とする請求項８又は９に記載の画像読取装置。
【請求項１１】
前記結像手段は絞りを有し、前記回折光学素子は、該絞り近傍に配置されていることを特徴とする請求項８、９又は１０に記載の画像読取装置。
【請求項１２】
前記回折光学素子は、正の屈折力を有する回折格子と負の屈折力を有する回折格子とを互いに回折格子面を向き合わせて積層した積層型の回折光学素子であることを特徴とする請求項８乃至１１の何れか１項に記載の画像読取装置。
【請求項１３】
前記正の屈折力を有する回折格子と負の屈折力を有する回折格子は、各々平行平板上に形成されていることを特徴とする請求項１２に記載の光学系。
【請求項１４】
前記結像手段は、前記回折光学素子以外のレンズの組み込み終了後に該回折光学素子の位置が前記位置調整手段により調整され、固定されていることを特徴とする請求項８乃至１３の何れか１項に記載の画像読取装置。
【請求項１５】
前記読取手段は前記画像情報に関し、複数の色光の画像情報を得ており、前記位置調整手段は、該読取手段からの出力される各色光の信号分布をモニターし、各色光の画像情報に基づく色ずれ量を測定しながら前記回折光学素子の位置を調整することを特徴とする請求項８乃至１４の何れか１項に記載の画像読取装置。
【請求項１６】
第１基板と第２基板の双方に１層以上の回折格子を有する回折光学部を設け、該回折光学部が互いに向き合うように該第１、第２基板とを配置した回折光学素子において、
該第１、第２基板の向き合わされた面には面取り部が形成されており、該第１、第２基板の面取り部の面取り角度を各々θ１（°）、θ２（°）、面取り深さをＹ(mm)とするとき、
θ１＋θ２≦８０°
但し、θ１≠０°、θ２≠０°
０．７(mm)≦Ｙ≦３．０(mm)
なる条件を満足することを特徴とする回折光学素子。
【請求項１７】
前記回折光学素子は、
θ１＋θ２≦７０°
但し、θ１≠０°、θ２≠０°
１．５(mm)≦Ｙ≦３．０(mm)
なる条件を満足することを特徴とする請求項１６に記載の回折光学素子。
【請求項１８】
第１基板と第２基板の双方に１層以上の回折格子を有する回折光学部を設け、該回折光学部が互いに向き合うように該第１、第２基板とを配置した回折光学素子において、
該第１、第２基板の向き合わされた面には面取り部が形成されており、少なくとも一方の第ｉ基板（ｉ＝１、２）は、基板厚をｔ(mm)、基板コバ厚をｘ(mm)、面取り部の面取り角度をθｉ（°）、基板径をφ(mm)とするとき、
0.03≦｛（ｔ−ｘ）×tan(90−θi)｝/φ≦0.06
なる条件を満足することを特徴とする回折光学素子。
【請求項１９】
前記第ｉ基板（ｉ＝１、２）は、
ｔ／２≦ｘ
θi＜４５°
なる条件を満足することを特徴とする請求項１８に記載の回折光学素子。
【請求項２０】
前記第１、第２基板の材質は、各々ガラス材より成ることを特徴とする請求項１６乃至１９の何れか１項に記載の回折光学素子。
【請求項２１】
前記第１、第２基板の材質は、各々プラスチック材より成ることを特徴とする請求項１６乃至１９の何れか１項に記載の回折光学素子。
【請求項２２】
前記第１、第２基板は、各々平行平板より成ることを特徴とする請求項１６乃至２１の何れか１項に記載の回折光学素子。
【請求項２３】
前記第１、第２基板は、各々曲率を有した曲面を有する部材より成り、前記回折光学部は該曲面に設けられていることを特徴とする請求項１６乃至２２の何れか１項に記載の回折光学素子。
【請求項２４】
前記第１、第２基板に設けた回折光学部の材質は、各々紫外線硬化樹脂より成ることを特徴とする請求項１６乃至２３の何れか１項に記載の回折光学素子。
【請求項２５】
前記第１、第２基板に設けた回折光学部は、一方が正の屈折力、他方が負の屈折力を有することを特徴とする請求項１６乃至２４の何れか１項に記載の回折光学素子。
【請求項２６】
請求項１６乃至２５の何れか１項に記載の回折光学素子を光路中に設けていることを特徴とする光学系。
【請求項２７】
請求項１６乃至２５の何れか１項に記載の回折光学素子を有する結像レンズを用いて原稿の画像情報を読取手段面上に形成し、該読取手段で画像情報を読み取ることを特徴とする画像読取装置。
【発明の詳細な説明】
【技術分野】
【０００１】
本発明は回折光学素子及びそれを有する光学系と画像読取装置に関し、特に回折光学素子を有する結像レンズ（原稿読取用レンズ)を用いて、原稿面上の画像情報をラインセンサー（CCD)などの読取手段（固体撮像素子）により高精度に読み取るようにした、例えばデバイス製造用の露光装置、照明装置、写真用カメラ、双眼鏡、プロジェクター、望遠鏡、顕微鏡、マルチファンクション複写機等の各種の光学機器に好適なものである。
【背景技術】
【０００２】
従来より、光学系の色収差を補正する方法の１つとして分散の異なる２つの材質の硝材(レンズ)を組み合わせる方法がある。この硝材の組み合わせにより色収差を減じる方法に対して、レンズ面やあるいは光学系の一部に回折作用を有する回折光学素子を用いて色収差を減じる方法が開示されている（例えば非特許文献１、特許文献１、２、３参照）。
【０００３】
これらの文献は、光学系中の屈折面と回折面とではある基準波長の光線に対する色収差の出方が逆方向になるという物理的現象を利用したものである。
【０００４】
さらに、このような回折光学素子は、その回折格子の周期構造の周期を変化させることで、非球面レンズ的な効果を持たせることができ、収差の低減に大きな効果がある。
【０００５】
以上のような効果から回折光学素子を光学系中に用いることは、特に色収差を精度よく補正することが必要であるカラー画像読取装置などの結像レンズ（原稿読取用レンズ）で注目を浴びている。
【０００６】
図１４は回折光学素子を有した結像レンズを用いたカラー画像読取装置の要部概略図である。同図において、原稿１４１はコンタクトガラス１４２上に載置され、コンタクトガラス１４２の下方に位置する第1の走行体２２２に収納された光源１４４とミラー１４３を有する照明光学系２２１により、上記原稿１４１が照明される。原稿１４１で反射された照明光は、第１走行体２２２の第１ミラー１４５により側方に反射され、その後、第２走行体２２３の第２ミラー１４６と第３ミラー１４７で折り返され、回折光学素子を有した結像レンズ１４８へと導かれ、該結像レンズ１４８により紙面内上下方向（光学的には副走査方向）に３つのカラーラインセンサー配置したラインセンサー１４９上に結像される。同図における結像レンズ１４８は、縮小光学系である。
【０００７】
原稿を読取る場合、第１走行体２２２がＶの速度で原稿１４１の面と平行で紙面内左右方向（光学的には副走査方向）に移動し、それと同時に第２走行体２２３が、第１走行体２２２の速度Ｖの半分の速度１／２Ｖで移動し、原稿１４１全体を読取る。
【０００８】
このようなカラー画像読取装置では、読取素子としてはカラーラインセンサー(３ラインセンサー)が用いられている。しかしながら、このカラーラインセンサーを用いる場合、結像レンズにより、Ｒ(赤)、Ｇ(緑)、Ｂ(青)の３つのラインセンサーに投影される原稿の画像情報は、結像レンズ１４８の光軸上に位置されるラインセンサーと結像レンズ１４８の光軸と直行する面内で該結像レンズ１４８の光軸に対して所定の距離に位置される２つのラインセンサーに照射されることになっている。
【０００９】
このため、カラーラインセンサーに投影される原稿の画像情報を光電変換すると、結像レンズ１４８に倍率色収差があると、それにより色成分ごとに異なる大きさが与えられることになる。これにより出力される各色光の画像信号には、主走査方向（紙面内垂直方向、カラーラインセンサーの画素の並び方向）の色ずれが含まれることになる。倍率色収差に伴う色収差の程度は、結像レンズ１４８を最適に設計し、回折光学素子を用いることである程度まで緩和することができるが、レンズの光学性能の限界点及びコストの上昇から色ずれを完全に除去することはできない。
【００１０】
またレンズの製造ばらつき（偏心）やガラスの材料の特性ばらつき（アッベ数のばらつき）等によって倍率色収差は増大する。現在、画像読取装置の解像力が向上しているために、僅かな倍率色収差が残った場合に、画像の色ずれは顕著になる。
【００１１】
以上の問題点を解決する手段として、倍率色収差により発生する主走査方向の色ずれを倍率色収差補正回路を用いて電気的に補正する装置が開示されている（例えば特許文献４参照）。
【００１２】
ここで、光線の屈折作用において比較すると、レンズ面では１本の光線は屈折後も１本の光線であるのに対し、回折格子では１本の光線が回折されると各次数に光線が分かれてしまう。
【００１３】
そこで、光学系（結像レンズ）として回折光学素子を使う場合には、該回折光学素子を通過する使用波長域の全ての光束が特定次数に集中するように、即ち特定次数の回折効率が良くなるように格子構造を決定する必要がある。特定次数の光束が集中している場合では、それ以外の次数の回折光の光線の強度は低いものとなり、強度が０の場合にはそれ以外の次数の回折光は存在しないものとなる。そのため、前記特長を有するためには、特定次数の光線の回折効率が十分高いことが必要となる。
【００１４】
また特定次数以外の回折次数を持った光線が存在する場合には、特定次数の光線と有効結像領域の別のところに入射するとフレア光となる。従って、回折光学素子を利用した光学系においては、設計次数での回折効率の分光分布及び設計次数以外の光線の振る舞いについても十分考慮することが重要である。
【００１５】
図１５に示すような平面又は曲面より成る基板１５１に１つの層より成る回折格子１５２を設けた回折光学素子１５０を光学系中に用いた場合の各次数に対する回折効率の特性を図１６に示す。この図１６で、横軸は波長を表し、縦軸は回折効率を表わしている。
【００１６】
この回折光学素子１５０は、１次の回折次数（図中実線）において、使用波長領域で最も回折効率が高くなるように設計されている。即ち設計次数は１次となる。さらに設計次数近傍の次数（１次±１次の０次と２次）の回折効率も合わせて併記しておく。
【００１７】
図１６に示されるように設計次数では回折効率はある波長（５５０ｎｍ）で、最も高くなり（以下「設計波長」と称す。）、それ以外の波長では序々に低くなる。この設計次数での回折効率の低下分は、他の次数の回折光となり、それらが像面に入射するとフレアになる。また回折光学素子を複数枚使用した場合には特に、設計波長以外の波長での回折効率の低下は透過率の低下にもつながる。
【００１８】
この回折効率の低下を減少できる手法として図１７に示すようなガラス基板１７１上に第１回折格子１７３、第２回折格子１７２を重ね合わせた積層断面形状を持つ積層タイプの回折光学素子１７０、また実際に製造する場合を考え、図１８に示すようなガラス基板１８１上に第１回折格子１８３、ガラス基板１８２上に第２回折格子１８４を個別に形成し、各格子ピッチが対応するように空気層を介して重ね合わせる積層タイプの回折光学素子１８０が種々と提案されている。
【００１９】
尚、図１５、図１７、図１８において１５２、１７２、１７３、１８３、１８４は各々紫外線硬化樹脂によりレプリカ成形された回折格子、１８５は接着剤である。
【００２０】
また、図１８において格子厚ｄ1、ｄ2は回折格子１８３、１８４の屈折率をｎ1、ｎ2とし、基準波長λ0によって次式の関係式によって決定される。
【００２１】
（ｎ1−１）ｄ1−（ｎ2−１）ｄ2＝ｍλ0・・・（ａ）
この関係式は基準波長λ0におけるｍ次光の回折光の回折効率を最もよくするための式であり、この関係を満たすように格子厚ｄ1、ｄ2は決定される。
【非特許文献１】SPIE  Vol.1354  International  Lens  Design  Conference  (1990)
【特許文献１】特開平４−２１３４２１号公報
【特許文献２】特開平６−３２４２６２公報
【特許文献３】米国特許第５０４４７０６号
【特許文献４】特開２００２−１１２０４６号公報
【発明の開示】
【発明が解決しようとする課題】
【００２２】
上記特許文献４では、レンズの製造ばらつきやガラスの特性ばらつき等によって発生した色ずれを補正することはできるが、電気的な複雑な構成が必要であり、またレンズ自身で発生してくる色ずれによる結像特性の劣化を解決することが困難である。
【００２３】
また上記積層タイプの回折光学素子は、現在、知られている紫外線硬化樹脂を用いて回折格子をレプリカ成形した場合、環境変動、特に湿度により回折格子が変形を起こし、回折効率を劣化させるという問題点があった。
【００２４】
そこで従来では図１９（Ａ）、（Ｂ）に示すように互いに回折格子を向かい合わせた第１基板１９１と第２基板１９２との間の回折格子の存在しない基板外周部Ａに透湿率の低い封止樹脂材１９６を充填し、熱もしくは紫外線により該封止樹脂材１９６を硬化させることにより、回折格子を封止し、上記の問題点を解決している。
【００２５】
しかしながらこの手段は回折格子の変形による回折効率の劣化を回避することはできるが、第1基板１９１と第２基板１９２との間が１００(μm)前後となっており、また透湿率の低い封止樹脂材１９６は非常に粘度が高いため、封止樹脂材１９６を注入し、回折光学素子の全周を封止する際に、欠け、ピリ防止用の面取りでは充填できないという問題点があった。このため、回折光学素子としての性能を悪化させ，しいては光学系全体の光学性能を低下させてしまう要因となっていた。
【００２６】
尚、図１９（Ｂ）において、第１、第２基板１９１、１９２を向かい合わせて張り合わせて成形される第１、第２面取り部１９７、１９８の面取り角度θは共に４５°、面取り深さＹは０．５(mm)程度である。
【００２７】
本発明は、レンズの製造ばらつき（偏心）やガラスの特性ばらつき（アッベ数のばらつき）等による倍率色収差を光学的に補正し、また色ずれを低減し、さらには高品位な画像読取りを可能とする光学系と画像読取装置にある。
【００２８】
本発明は、粘度が高い封止樹脂材を使用しても基板外周部を良好に封止することができ、かつ環境変動による光学性能の悪化を改善することができる回折光学素子及びそれを有する画像読取装置にある。
【課題を解決するための手段】
【００２９】
請求項１の発明の光学系は、
１つの光軸上にレンズ、そして回折光学素子と、を備えた光学系において、
該回折光学素子の位置を調整できる位置調整手段を有効光路外に設けていることを特徴としている。
【００３０】
請求項２の発明は請求項１の発明において、
前記位置調整手段は、前記回折光学素子の位置を光軸方向に対し前後に移動させて調整することを特徴としている。
【００３１】
請求項３の発明は請求項１又は２の発明において、
前記位置調整手段は、前記回折光学素子の位置を光軸方向に対し傾けて調整することを特徴としている。
【００３２】
請求項４の発明は請求項１、２又は３の発明において、
前記光学系は絞りを有し、前記回折光学素子は、該絞り近傍に配置されていることを特徴としている。
【００３３】
請求項５の発明は請求項１乃至４の何れか１項の発明において、
前記回折光学素子は、正の屈折力を有する回折格子と負の屈折力を有する回折格子とを互いに回折格子面を向き合わせて積層した積層型の回折光学素子であることを特徴としている。
【００３４】
請求項６の発明は請求項５の発明において、
前記正の屈折力を有する回折格子と負の屈折力を有する回折格子は、各々平行平板上に形成されていることを特徴としている。
【００３５】
請求項７の発明は請求項１乃至６の何れか１項の発明において、
前記光学系は、前記回折光学素子以外のレンズの組み込み終了後に該回折光学素子の位置が前記位置調整手段により調整され、固定されていることを特徴としている。
【００３６】
請求項８の発明の画像読取装置は、
光源手段により照明された原稿面上の画像情報をレンズ、絞り及び回折光学素子とを有する結像手段により読取手段面上に結像させ、該読取手段で該画像情報を読取る画像読取装置において、
該回折光学素子の位置を調整できる位置調整手段を有効光路外に設けていることを特徴としている。
【００３７】
請求項９の発明は請求項８の発明において、
前記位置調整手段は、主走査断面内において、前記回折光学素子の位置を光軸方向に対し前後に移動させて調整することを特徴としている。
【００３８】
請求項１０の発明は請求項８又は９の発明において、
前記位置調整手段は、主走査断面内において、前記回折光学素子の位置を光軸方向に対し傾けて調整することを特徴としている。
【００３９】
請求項１１の発明は請求項８、９又は１０の発明において、
前記結像手段は絞りを有し、前記回折光学素子は、該絞り近傍に配置されていることを特徴としている。
【００４０】
請求項１２の発明は請求項８乃至１１の何れか１項の発明において、
前記回折光学素子は、正の屈折力を有する回折格子と負の屈折力を有する回折格子とを互いに回折格子面を向き合わせて積層した積層型の回折光学素子であることを特徴としている。
【００４１】
請求項１３の発明は請求項１２の発明において、
前記正の屈折力を有する回折格子と負の屈折力を有する回折格子は、各々平行平板上に形成されていることを特徴としている。
【００４２】
請求項１４の発明は請求項８乃至１３の何れか１項の発明において、
前記結像手段は、前記回折光学素子以外のレンズの組み込み終了後に該回折光学素子の位置が前記位置調整手段により調整され、固定されていることを特徴としている。
【００４３】
請求項１５の発明は請求項８乃至１４の何れか１項の発明において、
前記読取手段は前記画像情報に関し、複数の色光の画像情報を得ており、前記位置調整手段は、該読取手段からの出力される各色光の信号分布をモニターし、各色光の画像情報に基づく色ずれ量を測定しながら前記回折光学素子の位置を調整することを特徴としている。
【００４４】
請求項１６の発明の回折光学素子は、
第１基板と第２基板の双方に１層以上の回折格子を有する回折光学部を設け、該回折光学部が互いに向き合うように該第１、第２基板とを配置した回折光学素子において、
該第１、第２基板の向き合わされた面には面取り部が形成されており、該第１、第２基板の面取り部の面取り角度を各々θ１（°）、θ２（°）、面取り深さをＹ(mm)とするとき、
θ１＋θ２≦８０°
但し、θ１≠０°、θ２≠０°
０．７(mm)≦Ｙ≦３．０(mm)
なる条件を満足することを特徴としている。
【００４５】
請求項１７の発明は請求項１６の発明において、
前記回折光学素子は、
θ１＋θ２≦７０°
但し、θ１≠０°、θ２≠０°
１．５(mm)≦Ｙ≦３．０(mm)
なる条件を満足することを特徴としている。
【００４６】
請求項１８の発明の回折光学素子は、
第１基板と第２基板の双方に１層以上の回折格子を有する回折光学部を設け、該回折光学部が互いに向き合うように該第１、第２基板とを配置した回折光学素子において、
該第１、第２基板の向き合わされた面には面取り部が形成されており、少なくとも一方の第ｉ基板（ｉ＝１、２）は、基板厚をｔ(mm)、基板コバ厚をｘ(mm)、面取り部の面取り角度をθｉ（°）、基板径をφ(mm)とするとき、
0.03≦｛（ｔ−ｘ）×tan(90−θi)｝/φ≦0.06
なる条件を満足することを特徴としている。
【００４７】
請求項１９の発明は請求項１８の発明において、
前記第ｉ基板（ｉ＝１、２）は、
ｔ／２≦ｘ
θi＜４５°
なる条件を満足することを特徴としている。
【００４８】
請求項２０の発明は請求項１６乃至１９の何れか１項の発明において、
前記第１、第２基板の材質は、各々ガラス材より成ることを特徴としている。
【００４９】
請求項２１の発明は請求項１６乃至１９の何れか１項の発明において、
前記第１、第２基板の材質は、各々プラスチック材より成ることを特徴としている。
【００５０】
請求項２２の発明は請求項１６乃至２１の何れか１項の発明において、
前記第１、第２基板は、各々平行平板より成ることを特徴としている。
【００５１】
請求項２３の発明は請求項１６乃至２２の何れか１項の発明において、
前記第１、第２基板は、各々曲率を有した曲面を有する部材より成り、前記回折光学部は該曲面に設けられていることを特徴としている。
【００５２】
請求項２４の発明は請求項１６乃至２３の何れか１項の発明において、
前記第１、第２基板に設けた回折光学部の材質は、各々紫外線硬化樹脂より成ることを特徴としている。
【００５３】
請求項２５の発明は請求項１６乃至２４の何れか１項の発明において、
前記第１、第２基板に設けた回折光学部は、一方が正の屈折力、他方が負の屈折力を有することを特徴としている。
【００５４】
請求項２６の発明の光学系は、
請求項１６乃至２５の何れか１項に記載の回折光学素子を光路中に設けていることを特徴としている。
【００５５】
請求項２７の発明の画像読取装置は、
請求項１６乃至２５の何れか１項に記載の回折光学素子を有する結像レンズを用いて原稿の画像情報を読取手段面上に形成し、該読取手段で画像情報を読み取ることを特徴としている。
【発明の効果】
【００５６】
本発明によれば回折光学素子の位置を有効光路外から調整できる位置調整手段を設けることにより、レンズの製造ばらつきやガラスの特性ばらつき等による倍率色収差を光学的に補正することができ、また色ずれを低減でき、さらには高品位な画像読取りを可能とすることができる光学系が得られる。
【００５７】
また本発明によれば回折格子を形成する基板や該基板の面取り部の各要素を適切に規定することにより、粘度が高い封止樹脂材を使用しても基板外周部を良好に封止することができ、環境変動による性能悪化を改善することができる回折光学素子及び画像読取装置が得られる。
【発明を実施するための最良の形態】
【００５８】
以下、図面を用いて本発明の実施例について説明する。
【実施例１】
【００５９】
図１は本発明の実施例１の位置調整手段を設けた結像レンズ（光学系）で原稿面上の画像情報をラインセンサーで読取る画像読取装置に適用した場合であり、主走査方向の要部断面図（主走査断面図）を示している。図２は図１の調整方法で調整した結像レンズのレンズ断面図、図３は後述する実施例１の結像レンズに対応する数値実施例１の諸収差図である。
【００６０】
図中、結像レンズPLは、物体（原稿面）T側より像面IP側へ順に、正レンズG1、負レンズG2、回折光学素子GP、絞りSP、正レンズG3、そして負レンズG4の４つのレンズを有したトポゴンタイプより成っている。絞りSP近傍に回折光学素子GPを配置している。物体（原稿面）Tに設けた原稿の画像情報を結像レンズPLによって結像面（例えばカラーラインセンサー面）IPに結像している。
【００６１】
尚、ここで主走査方向とはラインセンサーの複数の画素の並び方向をいう。
【００６２】
本実施例における回折光学素子GPは、平行平板上に形成された凹（負）のパワー（屈折力）の第１回折格子GP1と、同じく平行平板上に形成された凸（正）のパワーの第２回折格子GP2とを空気層を介して互いに回折格子面を向き合わせて積層した積層型の回折光学素子より成っている。尚、本実施例では単層の回折格子より成る回折光学素子を用いてもよい。
【００６３】
１は結像レンズPLの鏡筒である。
【００６４】
２は位置調整手段であり、回折光学素子ホルダー３と調整用ネジ４等を有しており、鏡筒1内における回折光学素子GPの位置を外部、即ち有効光路外から調整している。調整用ネジ４は結像レンズPLの鏡筒１の主走査方向から見て正面及び側面側に各々設けられている。本実施例では、この調整により結像レンズPLの倍率色収差を補正し、主走査方向の色ずれの低減を図っている。
【００６５】
回折光学素子GPは、結像レンズPLにおいて、上記の如く色収差を補正する効果があり、回折光学素子GPの位置を位置調整手段２で適切に調整することにより、レンズの製造ばらつき（偏心）やガラスの特性ばらつき（アッベ数のばらつき）から発生する倍率色収差を補正し、主走査方向の色ずれを低減させることができる。
【００６６】
本実施例における位置調整手段２は、例えば主走査断面内において、回折光学素子GPの位置を光軸方向に対し前後に移動させて調整を行なうシフト調整及び側面側に設けた調整用ネジ４により主走査断面内において、回折光学素子GPの位置を光軸方向に対し傾かせるチルト調整が行なえるように構成されている。
【００６７】
ここで本実施例の位置調整手段２の調整方法の一例を以下に示す。
【００６８】
本実施例では光学系中のうち、倍率色収差敏感度（位置の変化に対する結像位置における主走査方向の色のばらつき変化の比）の高い位置に回折光学素子GPを設け、該回折光学素子GPの位置を変化させて位置調整を行なっている。
【００６９】
本実施例では鏡筒１に結像レンズPLを構成するレンズG1〜G4を組み込んだ後、回折光学素子ホルダー３に組み込んだ回折光学素子GPを組み込む。その後、回折光学素子ホルダー３に調整用ネジ４を入れる。
【００７０】
本実施例では、この調整用ネジ４を回転させることにより回折光学素子ホルダー３を主走査断面内において光軸方向に対し前後方向にシフトさせシフト調整を行ない、また側面側の調整用ネジ４も回転させることにより光軸方向に対し傾かせるチルト調整を行ない、その後結像レンズPLを固定している。
【００７１】
本実施例では敏感度の高い位置に回折光学素子GPを配置し、この回折光学素子GPの位置を調整することによって、表１、表２に示すようにレンズの製造ばらつきやガラスの特性ばらつきから発生する倍率色収差を補正し、主走査方向の色ずれを低減させている。
【００７２】
尚、これらを調整するときには結像面に設けたカラーラインセンサー（読取手段）からの出力される各色光の信号分布をモニターし、各色光の画像情報に基づく色ずれ量を測定しながら回折光学素子GPの位置の調整の調整を行う。調整後、回折光学素子の位置を固定するために、紫外線硬化樹脂などで調整ネジ４を固定することが望ましい。
【００７３】
【表１】
2005107002.tif 000003
【００７４】
【表２】
2005107002.tif 000004
【００７５】
表１はガラスの特性ばらつきによる主走査方向の色ずれ補正した場合である。主走査方向の有効正面の片側を１０割として示している。表１に示すように調整前後における、各々の物高での倍率色収差から発生する主走査方向の色ずれ量が低減されていることが明らかである。また表２はレンズの製造ばらつきによる主走査方向の色ずれを補正した場合である。表２に示すように調整前後における、＋物高側と−物高側とでの主走査方向の色ずれ量のバランスが取れており、主走査方向の最大色ずれ量が低減されていることがわかる。これにより本実施例では電気的な手段では根本的に補正できない色ずれを、結像レンズの結像特性も良好に維持しながら光学的に低減している。
【００７６】
また本実施例では上記の如く平行平板上に回折格子を形成して回折光学素子GPを構成し、それを絞りSP近傍に配置している。絞りSP近傍に配置することにより軸外の諸収差を悪化を最小限に抑えることができ、また回折光学素子が平行平板であることにより、レンズ全体のパワー変化が少なく、軸上、軸外の諸収差を悪化させずに、色収差のみを効率的に補正することが可能となる。
【実施例２】
【００７７】
図４は本発明の実施例２の結像レンズのレンズ断面図、図５は後述する実施例２の結像レンズに対応する数値実施例２の諸収差図である。図４において図２に示した要素と同一要素には同符番を付している。
【００７８】
本実施例において前述の実施例１と異なる点は結像レンズをレンズ６枚より成るガウスタイプより構成したことである。その他の調整方法および光学的作用は実施例１と略同様であり、これにより同様な効果を得ている。
【００７９】
即ち、本実施例における結像レンズPLは、物体（原稿面）T側より像面IP側へ順に、正レンズG1、負レンズG2と負レンズG3とが接合された接合レンズ、回折光学素子GP、絞りSP、負レンズG4と正レンズG5とが接合された接合レンズ、そして正レンズG6の６枚のレンズを有したガウスタイプより成っている。そして絞りSP近傍に回折光学素子GPを配置している。
【００８０】
本実施例では前述の実施例１と同様に鏡筒１内における回折光学素子GPの位置を外部から調整できる位置調整手段２を設け、該位置調整手段２の調整により結像レンズPLの倍率色収差を補正し、主走査方向の色ずれの低減を図っている。
【００８１】
このように本実施例では前述の実施例１と同様に表３に示す如く回折光学素子GPの調整前後において同様な効果を得ている。表３は表１と同様にガラスの特性ばらつきによる主走査方向の色ずれ補正した場合である。
【００８２】
表３に示すように調整前後における、各々の物高での倍率色収差から発生する主走査方向の色ずれ量が低減されていることが明らかである。
【００８３】
【表３】
2005107002.tif 000005
【実施例３】
【００８４】
図６は本発明の実施例３の結像レンズのレンズ断面図、図７は後述する実施例３の結像レンズに対応する数値実施例３の諸収差図である。図６において図２に示した要素と同一要素には同符番を付している。
【００８５】
本実施例において前述の実施例１と異なる点は結像レンズをレンズ２枚より構成し、かつ非球面を導入したことである。その他の調整方法および光学的作用は実施例１と略同様であり、これにより同様な効果を得ている。
【００８６】
即ち、本実施例における結像レンズPLは、物体（原稿面）T側より像面IP側へ順に、回折光学素子GP、絞りSP、正レンズG1、そして負レンズG2より構成し、該正レンズG1の物体T側の絞りSP近傍に回折光学素子GPを配置した構成より成っている。さらに正レンズG1の両レンズ面と負レンズG2の像面IP側の面に非球面を導入している。
【００８７】
また本実施例では前述の実施例１と同様に鏡筒１内における回折光学素子GPの位置を外部から調整できる位置調整手段２を設け、該位置調整手段２の調整により結像レンズPLの倍率色収差を補正し、主走査方向の色ずれの低減を図っている。
【００８８】
このように本実施例では前述の実施例１と同様に表４に示す如く回折光学素子GPの調整前後において同様な効果を得ている。表４は表１、表３と同様にガラスの特性ばらつきによる主走査方向の色ずれ補正した場合である。
【００８９】
表４に示すように調整前後における、各々の物高での倍率色収差から発生する主走査方向の色ずれ量が低減されていることが明らかである。
【００９０】
また図６に示す実施例の場合、結像レンズPLの物体側、即ち鏡筒１の一番外側（原稿面T側）に回折光学素子GPを配置することになるので、回折光学素子GPの位置調整は前記の実施例１、２よりも調整しやすくなる。
【００９１】
【表４】
2005107002.tif 000006
【００９２】
次に本発明の実施例の１〜３に相当する数値実施例１〜３を表５〜表７に示す。各数値実施例においてｉは原稿面からの面の順番を示し、riは各面の曲率半径、diは第ｉ番目と第ｉ＋１番目の光学部材厚及び空気間隔、Ndiとνdiは各々第ｉ番目の光学材料の材質の屈折率とアッベ数である。
【００９３】
尚、原稿面と第１レンズとの空気間隔、また最終レンズとカラーラインセンサーとの空気間隔については記載を省略する。ｆは全系の焦点距離、Fnoは原稿面距離が無限大のときのFナンバー、βは結像倍率を示す。また数値実施例1、数値実施例2は1画素9.325μm、数値実施例3は1画素11.0μmのカラーラインセンサーでの色ずれ量を計算している。
【００９４】
またｋを離心率、Ｂ、Ｃ、Ｄ、Ｅを非球面係数、光軸からの高さｈの位置での光軸方向の変位を面頂点を基準にしてｘとするとき、非球面形状は、
ｘ＝（ｈ2／Ｒi）／[１＋[１−（１＋ｋ）（ｈ／Ｒi）2]1/2]＋Ｂｈ4＋Ｃｈ6
＋Ｄｈ8＋Ｅｈ10
なる式で表わされる。但しＲiは近軸曲率半径である。
【００９５】
回折光学素子は主走査方向が６次までの位相関数ｗで表わされる回折光学面（回折面）であり、
ｗ＝Ｃ2・ｈ2＋Ｃ4・ｈ4＋Ｃ6・ｈ6
なる式で表わされる。
【００９６】
尚、「Ｅ−Ｚ」の表示は「１０-Z」を意味する。
【００９７】
【表５】
2005107002.tif 000007
【００９８】
【表６】
2005107002.tif 000008
【００９９】
【表７】
2005107002.tif 000009
【実施例４】
【０１００】
図８（Ａ）、（Ｂ）は各々本発明の実施例４の回折光学素子の要部構成図である。同図（Ａ）は回折光学素子の要部断面図、同図（Ｂ）は同図（Ａ）に示した面取り部周辺の拡大図である。
【０１０１】
同図（Ａ）、（Ｂ）において、８１は積層タイプの回折光学素子であり、第１基板８２上に成形された正（凸）の屈折力（パワー）をもつ１層以上の回折格子を有する第１回折光学部（第1回折格子とも称す。）８４と、第２基板８３上に成形された負（凹）のパワーをもつ１層以上の回折格子を有する第２回折光学部（第２回折格子とも称す。）８５とが空気層Airを挟んで互いに対向するように積層されている。
【０１０２】
尚、本実施例における第１、第２回折光学部８４、８５は各々１層の回折格子より成っている場合を示しているが、２層以上でもよい。８４ａ、８５ａは各々格子部である。
【０１０３】
第１、第２基板８２、８３は共に平行平板より成り、かつその材質は共にガラス材より成っている。尚、第１、第２基板８２，８３の材料を共にプラスチック材で形成しても良い。第１、第２回折光学部８４、８５の材質は共に紫外線硬化樹脂より成っている。尚、第１基板８２と第２基板８３との間の間隔は１００μmである。
【０１０４】
８７、８８は各々第１、第２基板８２、８３の第１、第２面取り部である。第１、第２基板８２、８３は第１、第２面取り部８７、８８を向かい合わせて張り合わせて成形されている。８６は透湿率の低い封止樹脂材であり、第１、第２回折光学部８４、８５を互いに向かい合わせた第１基板８２と第２基板８３との間の回折光学部が存在しない基板外周部Ａに充填されており、該第１、第２回折光学部８４、８５を封止している。
【０１０５】
本実施例においては第１、第２面取り部８７、８８の面取り角度を各々θ１°、θ２°、面取り深さをＹ(mm)とするとき、
θ１＋θ２≦８０°    ・・・(1)
但し、θ１≠０°、θ２≠０°
０．７(mm)≦Ｙ≦３．０(mm)     ・・・(2)
なる条件を満足するように各要素を設定している。
【０１０６】
また本実施例において、第１、第２基板８２、８３のうち、少なくとも一方の第ｉ基板（ｉ＝１，２）の基板厚をｔ(mm)、基板コバ厚をｘ(mm)、面取り角度をθｉ(°)、基板径をφ(mm)とするとき、
0.03≦｛（ｔ−ｘ）×tan(90−θi)｝/φ≦0.06    ・・・(3)
ｔ/2≦ｘ    ・・・(4)
θi＜45°    ・・・(5)
なる条件を満足するように各要素を設定している。
【０１０７】
次に各条件式(1)〜(5)の技術的意味について説明する。
【０１０８】
条件式(1)は、積層タイプに成形したときの第１、第２基板８２、８３における面取りの角度θ１、θ２を規定する為の式であり、条件式(1)の上限値を超えてしまうと封止樹脂材の粘度が高いために流れずらくなり、基板外周部全域に充填できなくなってしまうため良くない。
【０１０９】
条件式(2)は、積層タイプに成形したときの第１、第２基板８２、８３における面取りの深さＹを規定する為の式であり、条件式(2)の上限値を超えると、格子成形部まで封止樹脂材が流れ込む可能性があり良くない。また条件式(2)の下限値を超えると、面取り深さＹが浅い為に、封止樹脂材が流れ込まず、充填できなくなってしまうので良くない。
【０１１０】
条件式(3)、(4)、(5)は、各々１つの基板（第ｉ基板）の面取り深さＹ、コバ厚ｘ、面取り角度θｉを規定するための式である。
【０１１１】
条件式(3)の上限値を超えると格子成形部付近まで面取り部が成形される可能性があるために、封止樹脂材が格子部まで流れ込むため良くない。また条件式(3)の下限値を超えると、成形される面取り深さＹが浅い為に、封止樹脂材が流れ込まず、充填されないために良くない。
【０１１２】
条件式(4)は、基板のコバ厚ｘを規定する為の式であり、基板厚に対しコバ厚ｘが1/2以上確保しないと、回折光学素子を鏡筒に組み込む際に、不安定になり良くない。
【０１１３】
条件式(5)は、基板の面取り角度θｉを規定する為の式であり、条件式(5)の上限値を超えてしまうと封止樹脂材の粘度が高いために流れずらくなり、基板外周部全域に充填できなくなってしまうため良くない。
【０１１４】
更に好ましくは上記各条件式(1)〜(3)を次の如く設定するのが良い。
【０１１５】
θ１＋θ２≦７０°    ・・・(1a)
但し、θ１≠０°、θ２≠０°
１．５(mm)≦Ｙ≦３．０(mm)     ・・・(2a)
０．０３３≦｛（ｔ−ｘ）×tan(90−θi)｝/φ≦０．０５・・・(3a)
次に本発明の実施例の数値実施例を示す。
【０１１６】
第１基板の面取り部の面取り角θ1＝30°
第２基板の面取り部の面取り角θ2＝30°
面取り深さY＝0.87mm
第１基板の厚みｔ＝2.0mm
第２基板の厚みｔ＝2.0mm
第１基板のコバ厚x＝1.5mm
第２基板のコバ厚x＝1.5mm
基板径φ＝22.0mm
よって各条件式(1)〜(5)の値は
(1)θ1＋θ2＝60°
(2)Y＝0.87
(3)第１基板  ｛（ｔ−ｘ）×tan(90−θ1)｝/φ＝0.039
(3)第２基板  ｛（ｔ−ｘ）×tan(90−θ2)｝/φ＝0.039
(4)第１基板  ｔ/2＝1.0、ｘ＝1.5
(4)第２基板  ｔ/2＝1.0、ｘ＝1.5
(5)第１基板  θ1＝30°
(5)第２基板  θ2＝30°
となり、これは上記の各条件式(1)〜(5)を全て満足している。これにより本実施例では粘度が高い封止樹脂材を使用しても基板外周部を良好に封止することができ、環境変動による光学性能の悪化を改善することができる。
【０１１７】
尚、本実施例では各条件式(1)〜(5)を全て満足させたが、これに限らず、条件式(1)、(2)、又は条件式(3)を満足させれば本発明の所期の目的は達せられる。
【実施例５】
【０１１８】
図９（Ａ）、（Ｂ）は各々本発明の実施例５の回折光学素子の要部構成図である。同図（Ａ）は回折光学素子の要部断面図、同図（Ｂ）は同図（Ａ）に示した面取り部周辺の拡大図である。同図において図８に示した要素と同一要素には同符番を付している。
【０１１９】
本実施例において前述の実施例４と異なる点は第１、第２面取り部８７、８８の面取り角度θ1、θ2を互いに異ならせて成形したことである。その他の構成及び光学的作用は実施例４と略同様であり、これにより同様な効果を得ている。
【０１２０】
即ち、本実施例では第１面取り部８７の面取り角θ１と、第２面取り部８８の面取り角θ２を互いに異ならせて形成している。これは製造工程上、封止樹脂材を注入させる為の治工具のノズルがある程度角度を持った場合、もしくはノズルがテーパー角を持った場合でも入りやすいようにしている為である。ノズルは面取り角度の広い方に傾けて入れられ、角度の狭い側へ封止樹脂材を入れ流し込むようにする。
【０１２１】
次に本発明の実施例の数値実施例を示す。
【０１２２】
第１基板の面取り部の面取り角θ1＝20°
第２基板の面取り部の面取り角θ2＝60°
面取り深さY＝1.5mm
第１基板の厚みｔ＝4.0mm
第２基板の厚みｔ＝4.0mm
第１基板のコバ厚x＝3.45mm
第２基板のコバ厚x＝1.4mm
基板径φ＝30.0mm
よって各条件式(1)〜(5)の値は
(1)θ1＋θ2＝80°
(2)Y＝1.5
(3)第１基板  ｛（ｔ−ｘ）×tan(90−θ1)｝/φ＝0.047
(3)第２基板  ｛（ｔ−ｘ）×tan(90−θ2)｝/φ＝0.050
(4)第１基板  ｔ/2＝2.0、ｘ＝3.45
(4)第２基板  ｔ/2＝2.0、ｘ＝1.4
(5)第１基板  θ1＝20°
(5)第２基板  θ2＝60°
となる。
【０１２３】
本実施例では、上記の如く第１面取り部８７の面取り角θ1を20°、第２面取り部８８の面取り角θ2を60°、面取り深さYを1.5mmとしている。このため角度の広い第２基板８３の面取り角θ2側からノズルを入れることにより容易に封止樹脂材８６を注入することができ、且つ条件式(1)、(2)を満たすことにより、前述の実施例1と同様の効果を得ることができる。
【０１２４】
また第１、第２基板８２，８３の厚みｔを各々4.0mm、基板径φを30.0mmと設定すると、第1基板８２のコバ厚xは3.45mm、第２基板８３のコバ厚xは1.4mmとなり、第１基板８２側は条件式(3)、(4)、(5)、第２基板８３側は条件式(3)を満たしており、これにより前述の実施例４と略同様の効果を得ることができる。
【０１２５】
尚、本実施例では各条件式(1)〜(3)を満足させたが、前述の実施例４と同様に条件式(1)、(2)、又は条件式(3)を満足させればよく、さらに条件式(3)は第１、第２基板８２、８３側のうち、どちらか一方の基板側のみを満足させれば本発明の所期の目的は達せられる。
【実施例６】
【０１２６】
図１０（Ａ）、（Ｂ）は各々本発明の実施例６の回折光学素子の要部構成図である。同図（Ａ）は回折光学素子の要部断面図、同図（Ｂ）は同図（Ａ）に示した面取り部周辺の拡大図である。同図において図８に示した要素と同一要素には同符番を付している。
【０１２７】
本実施例において前述の実施例４と異なる点は、第１、第２基板８２、８３を曲率を有した曲面を有する部材より構成したことである。その他の構成及び光学的作用は実施例４と略同様であり、これにより同様な効果を得ている。
【０１２８】
即ち、同図（Ａ）、（Ｂ）において、１０１は積層タイプの回折光学素子であり、第１、第２基板８２、８３を曲率を有した曲面を有する部材より構成し、該第１基板８２上に成形された正のパワーをもつ第１回折光学部８４と、該第２基板８３上に成形された負のパワーをもつ第２回折光学部８５とが空気層Airを挟んで互いに対向するように向かい合わせて構成している。
【０１２９】
このように本実施例では上記の如く第１基板８２と第２基板８３を曲率を有した曲面を有する部材より構成しても前述の実施例４と同様な効果を得ることができる。
【実施例７】
【０１３０】
図１１は、本発明の実施例４〜６の回折光学素子を用いた光学系の実施例７の要部概略図である。本実施例は、例えばデジタルカラー複写機、デジタル複写機、リーダープリンタ等の光学系（結像レンズ）に回折光学素子を適用した場合のレンズ断面図を示している。
【０１３１】
図中、１１１は結像レンズ（光学系）であり、内部に絞り１１２と前述した実施例４と同様の回折光学素子８１（又は実施例５と同様の回折光学素子９１）を有している。１１３は結像面であり、ＣＣＤ等の撮像手段の撮像面が位置している。
【０１３２】
回折光学素子８１として積層構造の回折光学素子を用いることで、回折効率の波長依存性は大幅に改善されているので、フレアが少なく低周波数での解像力も高い高性能な結像レンズを達成している。
【０１３３】
尚、上記回折光学素子８１に前述した実施例１、２、３に示した位置調整手段２を有効光路外に設けて、その回折光学素子８１の位置を調整しても良い。
【０１３４】
（画像読取装置）
図１２は本発明をデジタルカラー複写機、デジタル複写機、リーダープリンタ等の画像読取装置に適用したときの実施例の要部概略図である。
【０１３５】
同図において１２２は原稿台ガラスであり、その面上に原稿１２１が載置されている。１２４は照明光源であり、例えばハロゲンランプ、蛍光灯やキセノンランプ等によって成っている。１２３は反射笠であり、照明光源１２４からの光束を反射させ、効率よく原稿１２１を照明している。１２５、１２６、１２７は各々順に第１、第２、第３の反射ミラーであり、原稿１２１からの光束の光路を本体内部で折り曲げている。１２８は上述した実施例１、２、３、７の何れかの結像レンズ（光学系）であり、原稿１２１の画像情報に基づく光束を読取手段１２９面上に結像させている。１２９は読取手段としてのラインセンサー(ＣＣＤ)である。２００は本体、２０１は圧板である。
【０１３６】
本実施例において照明光源１２４から放射された光束は直接あるいは反射笠１２３を介して原稿１２１を照明し、該原稿１２１からの反射光を第１、第２、第３の反射ミラー１２５、１２６、１２７を介して本体内部でその光束の光路を折り曲げ、結像レンズ１２８によりＣＣＤ１２９面上に結像させている。このとき第１、第２、第３の反射ミラー１２５、１２６、１２７が副走査方向に移動しながら主走査方向を電気的に走査することで原稿１２１の画像情報を読み取っている。このとき第２、３の反射ミラー１２６、１２７は、第１の反射ミラー１２５の移動量の半分移動することで原稿１２１とＣＣＤ１２９との距離を一定としている。
【０１３７】
尚、本実施例では１：２走査光学系を有する画像読取装置に結像レンズ（原稿読取用レンズ）を適用したが、これに限らず、例えば図１３に示す一体型（フラットベッド型）の画像読取装置に適用しても本発明は上述の実施例と同様に適用することができる。
【０１３８】
即ち、図１３において照明手段１３４から放射された光束は直接あるいは反射笠１３３を介して原稿１３１を照明し、該原稿１３１からの反射光束を第１、第２、第３、第４反射ミラー１３５、１３６、１３７、１３８を介してキャリッジ２１１内部でその光路を折り曲げ、上述した実施例１、２、３、７の何れかの結像レンズ１３９により１次元ＣＣＤ等のリニアイメージセンサ１４０（以下「ＣＣＤ」と称す。）面上に結像させている。そしてキャリッジ２１１を副走査モーター（不図示）により図中に示す矢印Ｃ方向（副走査方向）に移動させることにより原稿１３１の画像情報を読み取っている。同図におけるＣＣＤ１４０は複数の受光素子を１次元方向（主走査方向）に配列した構成により成っている。
【０１３９】
尚、本実施例ではデジタルカラー複写機、デジタル複写機、リーダープリンタ等の画像読取装置に結像レンズ（原稿読取用レンズ）を適用したが、これに限定するものではなく、カメラの撮影レンズ、ビデオカメラの撮影レンズ、事務機のイメージスキャナー、半導体デバイス製造用の露光装置などに使用しても同様の効果が得られる。
【図面の簡単な説明】
【０１４０】
【図１】本発明の実施例１の結像レンズの主走査断面図
【図２】本発明の数値実施例１のレンズ断面図
【図３】本発明の数値実施例１の諸収差図
【図４】本発明の数値実施例２のレンズ断面図
【図５】本発明の数値実施例２の諸収差図
【図６】本発明の数値実施例３のレンズ断面図
【図７】本発明の数値実施例３の収差図
【図８】本発明の実施例１の回折光学素子の要部構成図及び面取り部の拡大図
【図９】本発明の実施例２の回折光学素子の要部構成図及び面取り部の拡大図
【図１０】本発明の実施例３の回折光学素子の要部構成図及び面取り部の拡大図
【図１１】本発明の回折光学素子を用いた光学系の概略図
【図１２】本発明の光学系を画像読取装置に適用したときの要部概要図
【図１３】本発明の光学系を画像読取装置に適用したときの要部概要図
【図１４】従来の画像読取装置の要部概要図
【図１５】従来の回折光学素子の説明図
【図１６】従来の回折光学素子の回折効率の説明図
【図１７】従来の回折光学素子の説明図
【図１８】従来の回折光学素子の説明図
【図１９】従来の回折光学素子の要部構成図及び面取り部の拡大図
【符号の説明】
【０１４１】
PL  結像レンズ
Gi  第ｉレンズ
GPi  第ｉ回折格子（格子部）
GP  積層型の回折光学素子
SP  絞り
T  物体（原稿面）
IP  結像面（カラーラインセンサー面）
１  鏡筒
２  調整手段
３  回折光学素子ホルダー
４  調整用ネジ
８１，９１，１０１  回折光学素子
８２  第１基板
８３  第２基板
８４  第１回折光学部
８５  第２回折光学部
８４ａ，８５ａ  格子部
８６  封止樹脂材
８７  第１面取り部
８８  第２面取り部
Ａ  基板外周部
１１１  結像レンズ
１１２  絞り
１１３  結像面
【図１】
2005107002.tif 000010
【図２】
2005107002.tif 000011
【図３】
2005107002.tif 000012
【図４】
2005107002.tif 000013
【図５】
2005107002.tif 000014
【図６】
2005107002.tif 000015
【図７】
2005107002.tif 000016
【図８】
2005107002.tif 000017
【図９】
2005107002.tif 000018
【図１０】
2005107002.tif 000019
【図１１】
2005107002.tif 000020
【図１２】
2005107002.tif 000021
【図１３】
2005107002.tif 000022
【図１４】
2005107002.tif 000023
【図１５】
2005107002.tif 000024
【図１６】
2005107002.tif 000025
【図１７】
2005107002.tif 000026
【図１８】
2005107002.tif 000027
【図１９】
2005107002.tif 000028